(57)【要約】【課題】  近距離及び遠距離のどちらにも対応することができるレーザパターンを生成する送信器を提供する。【解決手段】  送信器１０は、１系等の半導体レーザダイオード１２を使用し、この半導体レーザダイオード１２のレーザ光線照射方向の周囲を取り囲むようにリフレクター１４が配設される。リフレクター１４は、レーザ光線と対向する面１４ａが反射鏡面処理されており、この反射鏡面１４ａは、レーザ光線の外周部分を反射させて、近距離用のレーザパターンを生成する方向に進行方向を変更するように構成されている。また、リフレクター１４の前面にはレンズ１６が配置されており、レンズ１６によりレーザ光線を屈折させて進行方向を変更することにより、遠距離用のレーザパターンを生成する。【選択図】  図１
2007240023.tif 000002
【特許請求の範囲】
【請求項１】
情報を含んだ光信号を送信する送信器と、当該送信器から送信される光信号を受信し電気信号に変換する受信器と、当該受信器からの電気信号を解析する制御器と、当該制御器の解析結果を表示する表示器と、を備えたシミュレーション装置の送信器において、
前記送信器の光信号出力部近傍に光信号を反射可能なリフレクターを設け、前記送信器から送信された光信号の一部を前記リフレクターにより屈折処理することにより、距離の異なる複数の受信器に対応する光信号のパターンを生成することを特徴とするシミュレーション装置の送信器。
【発明の詳細な説明】
【技術分野】
【０００１】
本発明は、近距離及び遠距離のどちらの受信に対しても対応可能なレーザパターンを（デュアルレーザパターン）を生成することができるシミュレーション装置の送信器に関するものである。
【背景技術】
【０００２】
車両、人員、火器などに装着し、光信号を用いて射撃等の訓練の模擬が実施できるシミュレーション装置がある。この装置において、例えば車両に装着する構成品は、情報を含んだ光信号を送信する送信器、送信器から送信される光信号を受信し、電気信号に変換する受信器、受信器からの電気信号を解析する制御器、制御器からの解析結果に応じ、光信号の受信を音、光などにより表示する表示器などである。
【０００３】
前記送信器から送信される光信号とは、レーザ光線、近赤外光、可視光の総称であり、光信号に含まれる情報には、送信時刻、送信信号種類、個別番号、受光部位、距離等がある。
【０００４】
従来のシミュレーション装置の送信器のレーザパターンを図３に示す。
レーザパターンとは送信器１０が送信したレーザ光線を相手側の受信器が受信できる範囲のことをいい、レーザパターンが大きいと受光範囲が広くなり受信しやすくなり、逆に、レーザパターンが小さいと受光範囲が狭くなり、受信し辛くなる。従来の送信器のレーザパターンは、光学系の特性上、送信器１０から送信されたレーザ光線はこれが進むに従いビームが広がってゆき、設定距離Ａでレーザパターンが一番大きくなり、その後減衰していき、最大距離Ｂ付近で収束する。
【発明の開示】
【発明が解決しようとする課題】
【０００５】
しかしながら、従来のレーザパターンでは、設定距離Ａまでいかない近距離では、レーザパターンが小さくなるため、前述のように受光範囲が狭くなる。このため、近距離では、受信できない部分が生じる。
【０００６】
このような課題を解決する一例として、レーザ光源の前面に焦点距離の異なる複数のレンズを配設し、それぞれのレンズによって距離の異なる複数の位置に存在するそれぞれの標的板に照射されるレーザ光線のビーム照射面積（すなわち、レーザパターンの大きさ）を同一にするものがある。（例えば、特許文献１参照）
【特許文献１】特開２００３−１８５３９０号公報
【０００７】
本発明の目的は、遠距離だけでなく、近距離においても遠距離と同様なレーザパターンを生成し、近距離射撃の訓練が実施できるシミュレーション装置の送信器を提供することにある。
【課題を解決するための手段】
【０００８】
上述した課題を解決するため、本発明のシミュレーション装置の送信器は、情報を含んだ光信号を送信する送信器と、当該送信器から送信される光信号を受信し電気信号に変換する受信器と、当該受信器からの電気信号を解析する制御器と、当該制御器の解析結果を表示する表示器と、を備えたシミュレーション装置の送信器において、
前記送信器の光信号出力部近傍に、光信号を反射可能なリフレクターを設け、前記送信器から送信された光信号の一部を前記リフレクターにより屈折処理することにより、距離の異なる複数の受信器に対応する光信号のパターンを生成することを特徴とする。
【発明の効果】
【０００９】
上述したように、本発明によれば、１つの送信器から送信される光信号により近距離用と遠距離用の２つのパターンを生成することができるため、接近戦等の近距離での射撃訓練等が可能となり、実践により近い訓練の実施ができるようになる。
【発明を実施するための最良の形態】
【００１０】
以下、図面を用いて本発明における送信器１０を射撃用のシミュレーション装置に適用する場合の実施の形態について説明する。
シミュレーション装置は、情報を含んだ光信号を送信する送信器１０と、送信器１０から送信される光信号を受信し電気信号に変換する受信器と、受信器からの電気信号を解析する制御器と、制御器からの解析結果に応じ、光信号の受信を音、光などにより表示する表示器と、を備えている。前記光信号は、レーザ光線、近赤外光及び可視光などであり、前記情報には、送信時刻、送信信号種類、個別番号、受光部位、距離等がある。このようなシミュレーション装置を車両、人員又は火器等に装着し、相互に光信号の送受を行い、光信号の送信結果を、光信号の受光内容によって判定・評価する。
【００１１】
図１に本実施例における送信器１０の概略的な構成図を示す。
送信器１０は、送信時刻、送信信号種類、個別番号、受光部位、距離等の情報を有するレーザ光線を発する１系等の半導体レーザダイオード（光信号出力部）１２を使用し、この半導体レーザダイオード１２のレーザ光線照射方向の周囲を取り囲むようにリフレクター１４が配設される。
【００１２】
リフレクター１４は、レーザ光線の照射部を覆う反射鏡面１４ａが反射鏡面処理されており、この反射鏡面１４ａは、従来の送信器における半導体レーザダイオードの発光ではロスになっていた部分であるレーザ光線の外周部分のエネルギーが使用できるように、レーザ光線の外周部分を反射させて、近距離用のレーザパターンを生成する方向に進行方向を変更するように構成されている。反射鏡面１４ａは、レーザ光線の反射角度が、予め設定されている近距離設定位置Ｃにおいて、最大のレーザパターンが得られる角度となる形状を有している。
【００１３】
リフレクター１４の前面にはレンズ１６が配置されており、レンズ１６によりレーザ光線を屈折させて進行方向を変更することにより、遠距離用のレーザパターンを生成するものである。レンズ１６は、予め設定されている遠距離設定値Ａにおいて、最大のレーザパターンが得られる屈折率に設定されている。
【００１４】
図２に本発明のレーザパターンを示す。
送信器１０の半導体レーザダイオード１２から発信されたレーザ光線は、外周部分の光線がリフレクター１４の反射鏡面１４ａにより反射して、近距離用パターン１８を生成する。近距離用パターン１８は、図２に示される近距離設定位置Ｃにおいて、最大のレーザパターンとなり、その後減衰していき、遠距離用パターン２０と重なる。
【００１５】
一方、半導体レーザダイオード１２から発信されたレーザ光線のうち中心部分の光線は、レンズ１６により屈折して遠距離用パターン２０を生成する。この遠距離用パターン２０は、図２に示される遠距離設定位置Ａにおいて、最大のレーザパターンとなり、その後減衰していき、最大距離Ｂで収束する。
【００１６】
このように、本発明の送信器１０においては、半導体レーザダイオード１２は１系統とし、リフレクター１４やレンズ１６などの光学系の部品を調整するだけで近距離及び遠距離ともに対応したデュアルレーザパターンを生成することができるため、低コスト及び簡単な構成の送信器１０でデュアルレーザパターンを実現することができる。
【図面の簡単な説明】
【００１７】
【図１】本発明の送信器の概略的な構成図である。
【図２】本発明の送信器によるレーザパターンを示す図である。
【図３】従来の送信器のレーザパターンを示す図である。
【符号の説明】
【００１８】
１０  送信器
１２  半導体レーザダイオード（光信号出力部）
１４  リフレクター
１４ａ  反射鏡面
１８  近距離用パターン
２０  遠距離用パターン
【図１】
2007240023.tif 000003
【図２】
2007240023.tif 000004
【図３】
2007240023.tif 000005